(57)【要約】【課題】従来のものに比してより操作しやすい点鼻薬噴出器を提案する。【解決手段】本発明の点鼻薬噴出器は、収容空間Ｓを有する容器本体１と、上方付勢されたステム２ｇを押し下げることによって駆動するディスペンサ２と、周壁３ａから突出する突起３ｃを有する装着キャップ３と、ノズル４ａに連結するとともに容器本体１を覆う外側壁４ｆ、及び外側壁４ｆに設けられた開口４ｈ又は切欠きを有するカバー４と、支持部６ａを挟んで一端側に設けられる操作部６ｃ、及び支持部６ａを挟んで他端側に設けられ開口４ｈ又は切欠きから外側壁４ｆの内側に挿通されるアーム６ｄを備えるレバー６とを備え、レバー６は、アーム６ｄが突起３ｃに下方から係合する準備位置と、突起３ｃをアーム６ｄで押し上げると薬剤が噴出される噴出位置と、に変位可能である。【選択図】図１
2020193015.tif 000002
【特許請求の範囲】
【請求項１】
薬剤を収容可能であって上部を開放した口部につながる収容空間を有する容器本体と、
上方付勢されたステムを押し下げることによって駆動して前記収容空間の薬剤を該ステムから吐出させるディスペンサと、
前記ディスペンサを前記口部に吊り下げた状態で保持するとともに周壁から突出する突起を有する装着キャップと、
前記ステムを保持するとともに該ステムに通じる通路を備えるノズルと、該ノズルに連結するとともに前記容器本体を覆う外側壁と、該外側壁に設けられ該外側壁の外側から前記突起に到達可能な開口又は切欠きと、を有するカバーと、
前記カバーに揺動可能に支持される支持部と、該支持部を挟んで一端側に設けられる操作部と、該支持部を挟んで他端側に設けられ前記開口又は切欠きから前記外側壁の内側に挿通されるアームと、を備えるレバーとを備え、
前記レバーは、前記アームが前記突起に下方から係合する準備位置と、該突起を該アームで押し上げると前記ステムが該ノズルで相対的に押し下げられて薬剤が噴出される噴出位置と、に変位可能である点鼻薬噴出器。
【請求項２】
前記レバーは、前記アームに対して前記操作部の質量が大である請求項１に記載の点鼻薬噴出器。
【請求項３】
前記レバーは、前記アームが前記突起から離反するとともに前記操作部が起立する起立位置に変位可能である請求項１又は２に記載の点鼻薬噴出器。
【請求項４】
前記カバーは、起立位置に変位した前記レバーに係合するストッパを有する請求項３に記載の点鼻薬噴出器。
【請求項５】
起立位置に変位した前記レバーとともに前記ノズルを覆って前記カバーに装着されるオーバーキャップを有する請求項３又は４に記載の点鼻薬噴出器。
【発明の詳細な説明】
【技術分野】
【０００１】
本発明は、鼻腔内へ薬剤を噴出させる点鼻薬噴出器に関する。
【背景技術】
【０００２】
鼻腔に挿入するノズルを有し、収容した薬剤をノズルの先端から噴出させることによって鼻の内側に薬剤を注入する点鼻薬噴出器が既知である。
【０００３】
例えば下記の特許文献１には、ノズルの下端部にフランジ（特許文献１では基板４４と称している）が設けられている点鼻薬噴出器が示されている。この点鼻薬噴出器によれば、二本の指（例えば人差し指と中指）をノズルの間に差し入れてフランジにあてがい、そのままフランジを押し下げることによって、収容した薬剤を噴出させることが可能である。
【０００４】
また下記の特許文献２には、ノズルを挟んで一対の押圧腕を設け、これらの押圧腕にそれぞれ指をあてがい、ノズルに向かって押圧腕を傾倒させることによって、薬剤をノズルの先端から噴出させることができる点鼻薬噴出器が示されている。
【先行技術文献】
【特許文献】
【０００５】
【特許文献１】特開２００４−８４４号公報
【特許文献２】特開２０１０−７５８７４号公報
【発明の概要】
【発明が解決しようとする課題】
【０００６】
ところでこれらの点鼻薬噴出器は、通常２本の指を使って薬剤を噴出させるものであるが、１本の指でも噴出させることが可能であれば、操作性がより高まることになる。
【０００７】
本発明は、このような点に鑑みてなされたものであって、従来のものに比してより操作しやすい点鼻薬噴出器を提供することを目的とする。
【課題を解決するための手段】
【０００８】
本発明は、薬剤を収容可能であって上部を開放した口部につながる収容空間を有する容器本体と、
上方付勢されたステムを押し下げることによって駆動して前記収容空間の薬剤を該ステムから吐出させるディスペンサと、
前記ディスペンサを前記口部に吊り下げた状態で保持するとともに周壁から突出する突起を有する装着キャップと、
前記ステムを保持するとともに該ステムに通じる通路を備えるノズルと、該ノズルに連結するとともに前記容器本体を覆う外側壁と、該外側壁に設けられ該外側壁の外側から前記突起に到達可能な開口又は切欠きと、を有するカバーと、
前記カバーに揺動可能に支持される支持部と、該支持部を挟んで一端側に設けられる操作部と、該支持部を挟んで他端側に設けられ前記開口又は切欠きから前記外側壁の内側に挿通されるアームと、を備えるレバーとを備え、
前記レバーは、前記アームが前記突起に下方から係合する準備位置と、該突起を該アームで押し上げると前記ステムが該ノズルで相対的に押し下げられて薬剤が噴出される噴出位置と、に変位可能である点鼻薬噴出器である。
【０００９】
前記レバーは、前記アームに対して前記操作部の質量が大であることが好ましい。
【００１０】
前記レバーは、前記アームが前記突起から離反するとともに前記操作部が起立する起立位置に変位可能であることが好ましい。
【００１１】
前記カバーは、起立位置に変位した前記レバーに係合するストッパを有することが好ましい。
【００１２】
起立位置に変位した前記レバーとともに前記ノズルを覆って前記カバーに装着されるオーバーキャップを有することが好ましい。
【発明の効果】
【００１３】
本発明の点鼻薬噴出器は、レバーの操作部を押圧することにより、操作部の反対側に設けたレバーのアームが装着キャップの突起を押し上げ、これによりディスペンサのステムがノズルで相対的に押し下げられてディスペンサを駆動させることができる。このような操作部は１本の指でも押圧可能であるため、通常２本の指を使って薬剤を噴出させていた従来の点鼻薬噴出器よりも操作性が良くなる。
【００１４】
ところで特許文献１、２の如き従来の点鼻薬噴出器では、ノズルを鼻腔に挿入して薬剤を噴出させる操作を行うと、ノズルが下方へ移動するため、所期した部位に薬剤を噴出できなかったり薬剤が鼻の外に漏れたりするおそれがある。また所期した部位に薬剤を噴出させるためには、ノズルの移動に合わせて点鼻薬噴出器を上方へ動かさなければならず、操作性の点で難がある。一方、本発明に従う点鼻薬噴出器では、カバーにノズルを設けるとともに薬剤を噴出させる操作を行うアームはカバーに揺動可能に支持されるように構成していて、アームを動かしてもノズルは移動しないため、所期した部位へ操作性よく薬剤を噴出させることができる。
【００１５】
またこのようなレバーとして、アームに対して操作部の質量が大であるものを用いる場合は、操作部の自重でもって、アームよりも操作部が下方に位置するようにレバーが揺動するため、レバーを準備位置に自動的に変位させることができる。すなわち、揺動する途中でレバーが止まってしまう不具合を有効に防止することができる。
【００１６】
更にレバーが、突起からアームが離反するとともに操作部が起立する起立位置に変位可能である場合は、点鼻薬噴出器を使用しない場合は起立位置にレバーを変位させておくことによってレバーが邪魔になることがなく、また薬剤が不用意に噴出される不具合も防止することができる。
【００１７】
またカバーに、起立位置に変位したレバーに係合するストッパを設ける場合は、レバーが意図せず準備位置に変位することがなくなるため、薬剤の不用意な噴出が更に確実に防止できる。
【００１８】
そして、起立位置に変位したレバーとともにノズルを覆ってカバーに装着されるオーバーキャップを設ける場合は、ノズルへの埃や塵の付着が抑制されるため衛生的に優れるうえ、輸送中や店頭での陳列時に操作部が押圧されることがないため、薬剤の偶発的な噴出を防止することができる。
【図面の簡単な説明】
【００１９】
【図１】本発明に従う点鼻薬噴出器の一実施形態に関し、レバーを起立位置に変位させた状態について示した側面視での説明図である。
【図２】図１に示した点鼻薬噴出器の斜視図である（オーバーキャップは取り外している）。
【図３】図１に示した点鼻薬噴出器に関し、レバーを準備位置に変位させた状態について示した側面視での説明図である。
【図４】図３に示した点鼻薬噴出器の平面図及び側面図である。
【図５】図３に示した点鼻薬噴出器の斜視図である。
【図６】図１に示した点鼻薬噴出器に関し、レバーを噴出位置に変位させた状態について示した側面視での説明図である。
【発明を実施するための形態】
【００２０】
以下、図面を参照しながら本発明に従う点鼻薬噴出器の一実施形態について説明する。なお図１は、本実施形態の点鼻薬噴出器を正立させた状態で示した図であって、以下の説明における「上」「下」の関係は、図１に示すように点鼻薬噴出器を正立させた状態での向きをいう。また「後」とは、後述するレバーを設けた側（図１では右側）であり、「前」とは、その逆側（図１では左側）である。また「左」「右」は、前から後に向かって点鼻薬噴出器を見た際の左右方向である。
【００２１】
本実施形態の点鼻薬噴出器は、容器本体１、ディスペンサ２、装着キャップ３、カバー４、レバー６、オーバーキャップ７で構成されている。またカバー４は、図１に示すようにカバー４の下方における開口を閉鎖する底板５を備えている。
【００２２】
容器本体１は、板状をなす底部１ａと、底部１ａの外縁部から起立する胴部１ｂと、胴部１ｂの上部に連結する円筒状の口部１ｃを備えるものである。底部１ａ、胴部１ｂ、口部１ｃで取り囲まれた内部の空間（収容空間Ｓ）には、点鼻用の薬剤を収容することが可能である。また口部１ｃの外周面には、雄ねじ部１ｄが設けられている。本実施形態における容器本体１は、図２に示すように、前後方向の幅が左右方向の幅よりも広くなっていて、これによりカバー４に対して決まった向きに収容される。
【００２３】
ディスペンサ２は、概略筒状をなすシリンダー２ａを備えている。シリンダー２ａには、逆止弁２ｂ、下部スプリング２ｃ、ポペット２ｄ、ピストン２ｅ、上部スプリング２ｆ、ステム２ｇ等が組み込まれている。またシリンダー２ａの下端部には、底部１ａに向かって延在するパイプ２ｈが設けられている。このように構成されるディスペンサ２によれば、ステム２ｇをシリンダー２ａの内側に向けて移動させると、シリンダー２ａ内でピストン２ｅが下方に移動してシリンダー２ａの内部が加圧されるため、シリンダー２ａ内の薬剤をステム２ｇの上端部より吐出させることができる。また上方付勢されているステム２ｇが元の位置へ向かって上昇すると、ピストン２ｅもシリンダー２ａ内で上方へ移動し、それに伴いシリンダー２ａの内部が減圧されるため、パイプ２ｈを通して収容空間Ｓに収容されている薬剤をシリンダー２ａ内に吸引することができる。従って、ステム２ｇを往復移動させることによって、収容空間Ｓに収容されている薬剤をステム２ｇから繰り返し吐出させることができる。
【００２４】
装着キャップ３は、口部１ｃを取り囲む円筒状の周壁３ａを備えている。周壁３ａの内周面には、雄ねじ部１ｄに適合する雌ねじ部３ｂが設けられている。また周壁３ａの外周面における左右には、円柱状をなし径方向外側に向けて突出する一対の突起３ｃが設けられている。そして周壁３ａの上端部には、径方向内側に向けて延在する天壁３ｅが設けられていて、天壁３ｅの中央部には上方に向けて突出する段部３ｄが設けられている。なお段部３ｄの中央部には、上述したステム２ｇを挿通させる貫通孔が設けられていて、また段部３ｄの内側は、シリンダー２ａの上端部を嵌合保持できるように構成されている。また装着キャップ３は、段部３ｄから上方に向けて起立する円筒状の内側上部周壁３ｆと、内側上部周壁３ｆの径方向外側に位置する円筒状の外側上部周壁３ｇが設けられている。そして天壁３ｅの下面には、軟質材等で形成されるパッキン３ｈが配置されている。このような装着キャップ３によれば、段部３ｄの貫通孔からステム２ｇを突出させるとともに段部３ｄにシリンダー２ａの上端部を嵌合させ、天壁３ｅの下方にパッキン３ｈを配置し、更に雄ねじ部１ｄに雌ねじ部３ｂをねじ込むことによって、ディスペンサ２を口部１ｃに吊り下げるようにして保持することができる。
【００２５】
カバー４は、上方に向けて起立するノズル４ａを備えている。ノズル４ａの中央部には、ステム２ｇの上端部を保持する内側筒状壁４ｂが設けられていて、内側筒状壁４ｂの内側に形成される通路４ｃは、ステム２ｇと連通している。また内側筒状壁４ｂの上部には、通路４ｃに通じるとともに薬剤を外界に噴出させる噴出口４ｄが設けられている。そして内側筒状壁４ｂの径方向外側には、外側筒状壁４ｅが設けられている。
【００２６】
またカバー４は、概略有蓋筒状をなし外側筒状壁４ｅに連結するとともに容器本体１の全体を覆う（装着キャップ３から容器本体１の底部１ａまでを覆う）外側壁４ｆを備えている。外側壁４ｆの下面には、装着キャップ３の外側上部周壁３ｇよりも径方向内側に位置する環状壁４ｇが設けられている。また外側壁４ｆにおける後方上部側面には、外側壁４ｆを貫通して、外側壁４ｆの外側から突起３ｃに到達可能な開口４ｈが設けられている。そして開口４ｈに対して左右方向外側には、板状をなす一対の側壁４ｊが設けられていて（図２参照）、側壁４ｊにおける開口４ｈに向く面には、縦方向に延在する縦溝４ｋと、縦溝４ｋの下端部に位置するとともにレバー６を揺動可能に支持する軸穴４ｍが設けられている。
【００２７】
底板５は、カバー４における下方の開口を塞ぐものである。本実施形態の底板５は、その外縁部から起立してカバー４の内周面に係合する爪部５ａを備えている。また底板５は、胴部１ｂの左右の外周面に沿って上向きに延在する一対の縦板部５ｂを備えていて、縦板部５ｂの上端部には、上方に向けて半円状に突出する凸部（ストッパ）５ｃが設けられている。
【００２８】
レバー６は、概略円柱状をなし、対をなす側壁４ｊの内側に収まる幅で形成される支持部６ａを備えている。支持部６ａの左右両端部には、円柱状をなして軸穴４ｍに収まる軸部６ｂが設けられている。また支持部６ａの外周面には、板状をなすとともに片面に凹凸部を設けた操作部６ｃが設けられている。また、操作部６ｃの反対側であって支持部６ａの外周面における左右両端部には、一対のアーム６ｄが設けられている。本実施形態のアーム６ｄは、直線状に延在するとともに先端に半円部６ｅを備えるものである。なおレバー６は、図１に示すように操作部６ｃが起立する位置（起立姿勢）と、図３に示すようにレバー６の半円部６ｅが突起３ｃに下方から係合する位置（準備位置）と、図６に示すようにレバー６によって突起３ｃが押し上げられて容器本体１が上方に持ち上げられる位置（噴出位置）との間で揺動することが可能である。
【００２９】
オーバーキャップ７は、有蓋筒状をなすものであって、カバー４に対して着脱可能に装着される形態で設けられている。
【００３０】
このような構成になる点鼻薬噴出器では、図１に示すようにしてオーバーキャップ７を装着することができる。この状態においては、オーバーキャップ７によってノズル４ａが覆われるため、ノズル４ａへの埃や塵の付着を抑制することが可能である。またオーバーキャップ７の内側にはレバー６も収まるため、輸送中や店頭での陳列時に操作部６ｃが押圧されることがなく、薬剤の偶発的な噴出を防止することができる。また、図１に示したように本実施形態の操作部６ｃは、起立位置においてカバー４よりも後方に突出していないため、オーバーキャップ７の外周壁をカバー４の外周壁に揃えることができ、見栄えの点でも優れている。
【００３１】
薬剤を吐出するにあたっては、図１に示したオーバーキャップ７を取り外して図２に示す状態とする。なお、起立位置におけるレバー６は、半円部６ｅの先端がストッパ５ｃに係合しているため、不用意に揺動することはない。
【００３２】
そして、操作部６ｃに指をかけて後方に向けて力を加えると、半円部６ｅとストッパ５ｃとの係合が解けて、レバー６は、図３〜図５に示すように半円部６ｅが突起３ｃに下方から係合する位置（準備位置）まで変位する。なお、本実施形態のレバー６は、半円部６ｅを含めたアーム６ｄに対して操作部６ｃの質量が大となっている。このため、半円部６ｅとストッパ５ｃとの係合が解ければ、その自重でもってレバー６を準備位置まで自動的に変位させることができる。
【００３３】
その後、図３に示す準備位置に変位したレバー６に対し、操作部６ｃに指をあてがってこれを押圧する。本実施形態では、指で押圧する部位は操作部６ｃのみであるため、１本の指で操作することができる。このようにして操作部６ｃを押圧して、レバー６を図６に示す噴出位置まで変位させると、半円部６ｅで突起３ｃが押し上げられて容器本体１は上方に持ち上げられ、ステム２ｇはノズル４ａで相対的に押し下げられることになる。そして、図１に示したピストン２ｅは、シリンダー２ａの内側で移動してシリンダー２ａ内が加圧されるため、シリンダー２ａに収容されている薬剤は、ステム２ｇの内側を通って通路４ｃ内を通過し、噴出口４ｄから噴出される。ここで、容器本体１が上方に持ち上げられる際、図６に示すように、内側上部周壁３ｆは内側筒状壁４ｂと外側筒状壁４ｅに案内されるようにしてこれらの間に入り込み、また外側上部周壁３ｇも環状壁４ｇに案内されるようにして上昇する。すなわち容器本体１を、前後左右に傾けることなく上昇させることができるため、操作部６ｃを押圧する際に過大な力を要することがない。また操作部６ｃへの押圧を解除すると、上方付勢されているステム２ｇが元の位置へ移動し、それに伴って図１に示すピストン２ｅが元の位置に戻ってシリンダー２ａ内が減圧されるため、収容空間Ｓに収容されている薬剤はパイプ２ｈを通してシリンダー２ａ内に吸引される。従って、操作部６ｃへの押圧とその解除を繰り返すことによって、薬剤を噴出口４ｄから繰り返し噴出させることができる。なお、操作部６ｃを押圧した際は、容器本体１が上方に持ち上げられているため、操作部６ｃへの押圧を解除すると、容器本体１はその自重でもって下方に移動することになる。すなわち、操作部６ｃへの押圧を解除することにより、上方付勢されているステム２ｇの復元力に加え、容器本体１も下方に移動するため、図６に示した噴出位置のレバー６を、図３に示した準備位置まで確実に戻すことができる。
【００３４】
以上、本発明に従う点鼻薬噴出器について具体的な実施形態を示しながら説明したが、本発明に従う点鼻薬噴出器は、上述した実施形態に限られるものではなく、特許請求の範囲に従う範疇で種々の変更を加えたものも含まれる。例えばアーム６ｄは、先端に設けた半円部６ｅを省略して直線状に延在するだけの形態としてもよい。また、レバー６に設けた軸部６ｂとカバー４に設けた軸穴４ｍを、相互に入れ替えるように構成してもよい。また開口４ｈは、カバー４に設けた孔であるが、カバー４の下端に至るまで孔を広げて切欠きとし、この切欠きにレバー６のアーム６ｄが挿通されるようにしてもよい。
【符号の説明】
【００３５】
１    ：容器本体
１ａ  ：底部
１ｂ  ：胴部
１ｃ  ：口部
１ｄ  ：雄ねじ部
２    ：ディスペンサ
２ａ  ：シリンダー
２ｂ  ：逆止弁
２ｃ  ：下部スプリング
２ｄ  ：ポペット
２ｅ  ：ピストン
２ｆ  ：上部スプリング
２ｇ  ：ステム
２ｈ  ：パイプ
３    ：装着キャップ
３ａ  ：周壁
３ｂ  ：雌ねじ部
３ｃ  ：突起
３ｄ  ：段部
３ｅ  ：天壁
３ｆ  ：内側上部周壁
３ｇ  ：外側上部周壁
３ｈ  ：パッキン
４    ：カバー
４ａ  ：ノズル
４ｂ  ：内側筒状壁
４ｃ  ：通路
４ｄ  ：噴出口
４ｅ  ：外側筒状壁
４ｆ  ：外側壁
４ｇ  ：環状壁
４ｈ  ：開口
４ｊ  ：側壁
４ｋ  ：縦溝
４ｍ  ：軸穴
５    ：底板
５ａ  ：爪部
５ｂ  ：縦板部
５ｃ  ：凸部（ストッパ）
６    ：レバー
６ａ  ：支持部
６ｂ  ：軸部
６ｃ  ：操作部
６ｄ  ：アーム
６ｅ  ：半円部
７    ：オーバーキャップ
Ｓ    ：収容空間
【図１】
2020193015.tif 000003
【図２】
2020193015.tif 000004
【図３】
2020193015.tif 000005
【図４】
2020193015.tif 000006
【図５】
2020193015.tif 000007
【図６】
2020193015.tif 000008